(57)【要約】【課題】長期間に亘って内側容器と外側容器の固定が解除されることがない保冷容器を提供する。【解決手段】外側周壁部１１と外側底壁部１２とを有する外側容器２と、外側容器２の内側に位置する内側容器１と、を備え、内側容器１は、外側容器２の内側に位置する内側周壁部６と、内側周壁部６の下部に位置する内側底壁部７と、内側周壁部６の上端から外側容器２の上端よりも上方に延びる上壁部８と、を備え、外側容器２の上端部に凸部１３を備え、かつ、凸部１３に上下方向で係合する凹部８ａを上壁部８の下端部に備え、外側容器２の外側周壁部１１の内面に内側に突出する外側突起部２８を備え、内側容器１の内側周壁部６の外面に外側に突出する内側突起部２９を備えている。【選択図】  図３
2019111111.tif 000002
【特許請求の範囲】
【請求項１】
外側周壁部と外側底壁部とを有する有底筒状で合成樹脂製の外側容器と、該外側容器の内側に断熱空間を形成するとともに飲料を貯留する有底筒状で合成樹脂製の内側容器と、を備え、前記内側容器は、前記外側容器の内側に位置する内側周壁部と、該内側周壁部の下部に位置する内側底壁部と、前記内側周壁部の上端から前記外側容器の上端よりも上方に延びるとともに該内側周壁部の外面よりも外側に位置して上縁部分を構成する上壁部と、を備え、前記上壁部の下端部及び前記外側容器の上端部のうちの一方に上下方向に突出する凸部を備え、かつ、他方に上下方向に開口して該凸部に上下方向で係合する凹部を備え、前記外側容器の外側周壁部の内面に内側に突出する外側突起部を備え、前記内側容器の内側周壁部の外面に外側に突出する内側突起部を備え、前記外側容器の内部に前記内側容器を上方から挿入する際に、前記凸部と前記凹部とが係合し、かつ、前記内側突起部が前記外側突起部を乗り越えて両突起部が上下方向で当接することで前記内側容器の上方への移動が阻止されるように、該内側突起部及び該外側突起部を構成していることを特徴とする保冷容器。
【請求項２】
前記外側突起部を、前記外側容器の外側周壁部の下部の内面に備え、前記内側突起部を、前記内側容器の内側周壁部の下部の外面に備え、前記外側容器の内部に前記内側容器を上方から挿入する際に、前記凸部と前記凹部とが係合し、かつ、前記内側突起部が前記外側突起部を乗り越えて両突起部が上下方向で当接することで前記内側容器の上方への移動が阻止されると同時に前記内側容器の内側周壁部の下端又は内側底壁部の下端が前記外側容器の外側底壁部の上端に当接して前記内側容器の下方への移動が阻止されるように、前記内側突起部及び前記外側突起部を構成していることを特徴とする請求項１に記載の保冷容器。
【請求項３】
前記凸部と前記凹部との間に、前記断熱空間を密閉するための弾性変形自在なシール部材を備えていることを特徴とする請求項１又は２に記載の保冷容器。
【請求項４】
前記凸部が、頂部と、該頂部の内側から下方に延びる内側部と、該頂部の外側から下方に延びる外側部と、を備え、前記シール部材が、前記凸部の頂部を覆う上側部分と、前記内側部を覆う内側部分と、前記外側部を覆う外側部分と、を備え、前記上側部分の厚みを他の部分の厚みよりも厚くしていることを特徴とする請求項３に記載の保冷容器。
【発明の詳細な説明】
【技術分野】
【０００１】
本発明は、外側容器と該外側容器の内側に断熱空間を形成するように配置される内側容器とを有する本体と、本体の上方の開口を閉塞する蓋体と、を備えた保冷容器に関する。
【背景技術】
【０００２】
上記保冷容器としては、ビール等の発泡性飲料を収容するピッチャーが挙げられる。このピッチャーは、持ち手が取り付けられた本体と、本体の上方開口に被せるように本体の上端に取り付けられるカバーと、を備えている。本体は、外側容器と内側容器の２つの部材からなり、外側容器と内側容器との間に断熱空間が形成されており、内側容器に収容した発泡性飲料を冷えた状態に保つことができるとともに、外側容器の外面に結露が生じることがないようにしている。そして、内側容器が、底壁と側壁とを有する有底筒状に構成されるとともに、側壁の上端部を外側に折り返して折り返し部を形成し、折り返し部の下端に凹部を形成している。また、外側容器が、内側容器よりも一回り大きな径を有する底壁と側壁とを有する有底筒状に構成されている。そして、外側容器の側壁の上端に内側容器の凹部に係合する凸部が形成されており、内側容器の凹部に外側容器の凸部を係合した状態を接着剤又は超音波接合により維持するようにしている（例えば特許文献１）。
【先行技術文献】
【特許文献】
【０００３】
【特許文献１】特開２０１７−１３６２７２号公報
【発明の概要】
【発明が解決しようとする課題】
【０００４】
上記特許文献１によれば、接着剤又は超音波接合により内側容器の凹部と外側容器の凸部とを固定させると、接着剤による化学変化又は熱による状態変化が発生し、その固定した部分が弱くなり、早期に固定が解除されてしまうという不都合があった。また、内側容器の凹部と外側容器の凸部とが係合する保冷容器の上端部の１箇所でのみ固定させる構成では、固定が早期に解除されるおそれもあり、早期改善が望まれている。
【０００５】
そこで、本発明は、かかる事情に鑑みてなされたもので、長期間に亘って内側容器と外側容器の固定が解除されることがない保冷容器を提供することを課題とする。
【課題を解決するための手段】
【０００６】
本発明に係る保冷容器は、外側周壁部と外側底壁部とを有する有底筒状で合成樹脂製の外側容器と、該外側容器の内側に断熱空間を形成するとともに飲料を貯留する有底筒状で合成樹脂製の内側容器と、を備え、前記内側容器は、前記外側容器の内側に位置する内側周壁部と、該内側周壁部の下部に位置する内側底壁部と、前記内側周壁部の上端から前記外側容器の上端よりも上方に延びるとともに該内側周壁部の外面よりも外側に位置して上縁部分を構成する上壁部と、を備え、前記上壁部の下端部及び前記外側容器の上端部のうちの一方に上下方向に突出する凸部を備え、かつ、他方に上下方向に開口して該凸部に上下方向で係合する凹部を備え、前記外側容器の外側周壁部の内面に内側に突出する外側突起部を備え、前記内側容器の内側周壁部の外面に外側に突出する内側突起部を備え、前記外側容器の内部に前記内側容器を上方から挿入する際に、前記凸部と前記凹部とが係合し、かつ、前記内側突起部が前記外側突起部を乗り越えて両突起部が上下方向で当接することで前記内側容器の上方への移動が阻止されるように、該内側突起部及び該外側突起部を構成していることを特徴とする。
【０００７】
本発明によれば、外側容器の内部に内側容器を上方から挿入することにより、上壁部の下端部及び外側容器の上端部のうちの一方に備えた凸部と他方に備えた凹部とが上下方向で係合して、内側容器が外側容器に対して水平方向へ移動することが阻止され、かつ、内側容器の内側周壁部の外面に備えた内側突起部が外側容器の外側周壁部の内面に備えた外側突起部を乗り越えて両突起部が上下方向で当接することで内側容器の上方への移動が阻止される。このように凸部と凹部とが係合するとともに、両突起部が上下方向で当接することによって、内側容器と外側容器とを固定しているので、接着剤又は超音波接合により両者を固定する場合のように、固定した部分が弱くなるといったことがない。しかも、内側容器と外側容器を上下２箇所で強固に固定することができる。
【０００８】
また、本発明に係る保冷容器は、前記外側突起部を、前記外側容器の外側周壁部の下部の内面に備え、前記内側突起部を、前記内側容器の内側周壁部の下部の外面に備え、前記外側容器の内部に前記内側容器を上方から挿入する際に、前記凸部と前記凹部とが係合し、かつ、前記内側突起部が前記外側突起部を乗り越えて両突起部が上下方向で当接することで前記内側容器の上方への移動が阻止されると同時に前記内側容器の内側周壁部の下端又は内側底壁部の下端が前記外側容器の外側底壁部の上端に当接して前記内側容器の下方への移動が阻止されるように、前記内側突起部及び前記外側突起部を構成していてもよい。
【０００９】
上記のように、外側容器の内部に内側容器を上方から挿入することにより、上壁部の下端部及び外側容器の上端部のうちの一方に備えた凸部と他方に備えた凹部とが上下方向で係合して、内側容器が外側容器に対して水平方向へ移動することが阻止され、かつ、内側容器の内側周壁部の外面に備えた内側突起部が外側容器の外側周壁部の内面に備えた外側突起部を乗り越えて両突起部が上下方向で当接することで内側容器の上方への移動が阻止されると同時に内側容器の内側周壁部の下端又は内側底壁部の下端が外側容器の外側底壁部の上端に当接して内側容器の下方への移動が阻止される。このように、内側容器が外側容器に対して上方及び下方の両方向への移動が阻止されることによって、ガタ付きのない状態で内側容器を外側容器により一層強固に固定することができる。
【００１０】
また、本発明に係る保冷容器は、前記凸部と前記凹部との間に、前記断熱空間を密閉するための弾性変形自在なシール部材を備えていてもよい。
【００１１】
上記のように、シール部材を備えることによって、保冷容器を洗浄するときに、断熱空間への水の浸入を阻止することができるだけでなく、断熱効率を高めることができる。
【００１２】
また、本発明に係る保冷容器は、前記凸部が、頂部と、該頂部の内側から下方に延びる内側部と、該頂部の外側から下方に延びる外側部と、を備え、前記シール部材が、前記凸部の頂部を覆う上側部分と、前記内側部を覆う内側部分と、前記外側部を覆う外側部分と、を備え、前記上側部分の厚みを他の部分の厚みよりも厚くしていてもよい。
【００１３】
上記のように、上側部分の厚みを他の部分の厚みよりも厚くすることによって、水平方向よりも大きい上下方向におけるガタ付きを確実に吸収してシール性能を向上させることができる。
【発明の効果】
【００１４】
以上の如く、本発明によれば、内側容器と外側容器を上下２箇所で係合及び当接により強固に固定することによって、長期間に亘って内側容器と外側容器の固定が解除されることがない保冷容器を提供することができる。
【図面の簡単な説明】
【００１５】
【図１】保冷容器の斜視図である。
【図２】蓋体を外した保冷容器の斜視図である。
【図３】図１におけるＩＩＩ−ＩＩＩ断面図である。
【図４】図３におけるＩＶの部分の拡大図である。
【図５】上下を逆にした保冷容器の斜視図である。
【発明を実施するための形態】
【００１６】
図１〜図３に、合成樹脂製の内側容器１と合成樹脂製の外側容器２とを備えた本体３と、本体３の上方の開口３Ｋを閉塞する合成樹脂製の蓋体４と、を備えた保冷容器５を示している。
【００１７】
内側容器１は、図３に示すように、外側容器２の内側に位置する内側周壁部６と、内側周壁部６の下部に位置する内側底壁部７と、内側周壁部６の上端から外側容器２の上端よりも上方に延びるとともに内側周壁部６の外面よりも外側に位置して上縁部分を構成する上壁部８と、を備えている。これら内側周壁部６と内側底壁部７と上壁部８とが一体形成される。内側周壁部６は、上方に向かうほど直径が大きくなるテーパー形状に形成されている。このテーパーの傾斜角度は、後述する外側周壁部１１のテーパーの傾斜角度と略同一の大きさに設定され、外側周壁部１１と内側周壁部６とが上下方向に略平行に延びている。そして、内側周壁部６の外面と外側周壁部１１の内面との間に断熱空間９が形成されている。図４に示すように、上壁部８は、後述する凸部１３に上方から係合する凹部８ａが形成された係合部８Ａと、係合部８Ａの外側縁から上方に立ち上げられた上壁本体８Ｂと、を備えている。係合部８Ａの上端面８Ｈ（図２、図３参照）が、蓋体４の側壁部１９の下端を受けることができるよう、略フラットに形成された受け面に構成されている。なお、上壁本体８Ｂの外面と外側容器２の外側周壁部１１の外面とが、面一になっているが、必ずしも面一でなくてもよい。
【００１８】
上壁本体８Ｂの周方向1箇所、言い換えれば上壁本体８Ｂの前後方向前端部に、前方斜め上方に突出するように形成された注ぎ口１０（図３参照）を備え、後述する取っ手１４を掴んで保冷容器５を前方へ傾けることによって、注ぎ口１０により案内される飲料を外部へ流出させてコップやジョッキ等の他の容器に移すことができる。また、上壁本体８Ｂの上端面８Ｇ（図２参照）は、注ぎ口１０の前後方向後端から前後方向中間部にかけて次第に高くなり、前後方向中間部から前後方向後端にかけて次第に低くなるように構成されている。また、図３に示すように、注ぎ口１０に相当する係合部８Ａの部分が、切欠き形成されており、その切欠き部８Ｋを介して内側容器１内の飲料を内側容器１の上端から注ぎ口１０へスムーズに受け渡すことができるようになっている。
【００１９】
外側容器２は、外側周壁部１１と外側周壁部１１の下端を塞ぐ外側底壁部１２とを有する有底筒状に構成されている。外側周壁部１１は、上方に向かうほど直径が大きくなるテーパー形状に形成されている。このテーパーの傾斜角度は、前記内側周壁部６のテーパーの傾斜角度と略同一の大きさに設定され、内側周壁部６と外側周壁部１１とが上下方向に略平行に延びている。また、外側周壁部１１の上端の内側部分には、上方に突出する凸部１３（図４参照）が形成されている。また、外側底壁部１２が、略円環状の外周縁部１２Ａと、外周縁部１２Ａよりも内側に位置する内側部１２Ｂと、を備えている。内側部１２Ｂは、中心部側ほど上方に位置するすり鉢状（円錐状又はテーパー状）に形成されている。また、外側周壁部１１の周方向1箇所、つまり前後方向後端部の外面に、外側に突出するコの字状の取っ手１４を一体成形により備えている。
【００２０】
このように構成された保冷容器５においては、図５に示すように、外側容器２の上下が逆になるように上壁部８の上端面８Ｇが水平な載置部Ｘに当接するように、保冷容器５を置くことにより外側容器２の外側底壁部１２が取っ手１４側ほど下方に傾斜する。このように傾斜して低くなった部分の外周縁部１２Ａの一部に、水排出用の切欠き部１５を形成している。切欠き部１５は、内側部１２Ｂの外周縁の表面と略同一高さの面を有するように外周縁部１２Ａを径方向に突っ切るように形成されている。従って、図５に示すように、例えば洗浄した外側容器２を上下が逆になるように水平な載置部Ｘに置いて乾燥させる際に、外側容器２の外側底壁部１２が傾いて低くなった部分の外周縁部１２Ａの一部に形成した水排出用の切欠き部１５から外側底壁部１２の内側部１２Ｂ上に溜まった水を外部へ迅速に排出して外側底壁部１２の乾燥時間を短縮することができる。前記載置部Ｘが、手洗いした保冷容器５の水分を乾燥させるために乾燥台等の載置部（図５参照）であってもよいし、自動食器乾燥機の中の載置部であってもよい。
【００２１】
図３及び図４に示すように、凸部１３と凹部８ａとの間に、断熱空間９を密閉するための弾性変形自在なシール部材１６を更に備えている。シール部材１６を備えることによって、保冷容器５を洗浄するときに、断熱空間９への水の浸入を阻止することができるだけでなく、断熱効率を高めることができる。
【００２２】
凸部１３が、略フラット面を有する頂部１３Ａと、頂部１３Ａの内側から下方に延びる内側部１３Ｂと、頂部１３Ａの外側から下方に延びる外側部１３Ｃと、を備え、シール部材１６が、凸部１３の頂部を覆う上側部分１６Ａと、内側部１３Ｂを覆う内側部分１６Ｂと、外側部１３Ｃを覆う外側部分１６Ｃと、外側部分１６Ｃから水平方向外側に延びる水平部分１６Ｄと、を備え、上側部分１６Ａの厚みを他の３つの部分１６Ｂ…の厚みよりも厚くしていてもよい。水平部分１６Ｄは、外側周壁部１１の上端の外側部分の平坦面１７と上壁本体８Ｂの外側部の下面１８との間に挟み込まれる。このように、上側部分１６Ａの厚みを他の３つの部分１６Ｂ…の厚みよりも厚くすることによって、水平方向よりも大きい上下方向におけるガタ付きを確実に吸収してシール性能を向上させることができる。
【００２３】
蓋体４は、図１〜図３に示すように、上壁部８の内側下端部に回転自在に内嵌する平面視において円形状の側壁部１９と、側壁部１９の上端を閉じる天壁部２０と、を備えている。また、蓋体４は、上方から係合部８Ａの上端面８Ｈに載置可能に構成され、その載置状態で蓋体４を時計回りに回転させることによって、蓋体４が上方へ外れてしまうことを係止により阻止するための係止機構を備えている。
【００２４】
図２に示すように、係止機構は、径方向２箇所（図２では１箇所のみ図示している）に備え、各係止機構は、上壁本体８Ｂの内面に内側に突出し、かつ、周方向に長い係止突起２２と、この係止突起２２に蓋体４の時計回りの回転により係合すべく周方向に長い凹溝２３と、凹溝２３に連続して形成され、かつ、蓋体４の係合部８Ａの上端面８Ｈへの移動時に係止突起２２を逃がすための矩形状の凹部２４と、を備えている。従って、２つの凹部２４，２４を係止突起２２，２２の上方に合わせた状態で蓋体４を係合部８Ａの上端面８Ｈへ載置させる。この状態から、蓋体４を時計回りに回転させることによって、係止突起２２，２２に凹溝２３，２３を係合して蓋体４の上方への移動を阻止することができる。この状態から、蓋体４を反時計回りに回転させてから、上方へ蓋体４を持ち上げることによって、蓋体４を上壁本体８Ｂから取り外すことができる。なお、図３では、係止突起２２，２２の一部が凹溝２３，２３に入り込んで係合した状態になっているが、係止突起２２，２２の一部が凹溝２３，２３に入り込んで係合してもよい。
【００２５】
蓋体４を上壁本体８Ｂに係止した状態において蓋体４の側壁部１９の注ぎ口１０側に注ぎ口１０を上下方向に拡大するための周方向に長い切欠き２５（図２、図３参照）が形成されるとともに、この切欠き２５の１８０°反対側の側壁部１９の部分に、周方向に長いエア抜き用長孔３０（図３参照）が形成されている。このエア抜き用長孔３０を形成することによって、注ぎ口１０及び切欠き２５から飲料を勢いよく外部へ流出させることができるようにしている。
【００２６】
天壁部２０は、側壁部１９の中心部を径方向繋ぐように緩やかな円弧形状に構成された天板部２６と、天板部２６の幅方向両側に形成される一対の凹部２７，２７（図２参照）と、を備えている。各凹部２７は、天板部２６の幅方向一端から斜め下方側に延びる縦壁部２７Ａと、縦壁部２７Ａの下端から略水平方向に延びる水平壁部２７Ｂと、を備えている。従って、背中合わせの両側に位置する縦壁部２７Ａ，２７Ａを指で掴むことで蓋体４を容易に持ち上げる、又は回転させることができる。
【００２７】
また、図３に示すように、外側容器２の外側周壁部１１の内面に内側に突出する外側突起部２８を９０度間隔で同一高さ位置に４箇所備え、これに対応する内側容器１の内側周壁部６の外面に外側に突出する４つの内側突起部２９を備えている（図３では３箇所のみ示している）。外側突起部２８及び内側突起部２９のそれぞれは、周方向に所定の長さを有し、ほぼ同一長さに構成されている。また、外側突起部２８の下端及び内側突起部２９の上端は、平面に形成され、外側突起部２８を内側突起部２９が乗り越えた時に、外側突起部２８の下端面２８Ａと内側突起部２９の上端面２９Ａとが面で当接することによって、外側突起部２８に対して内側突起部２９が上方に移動して両者の当接状態が解消されることがないようにしている。
【００２８】
上記のように構成した外側容器２の内部に内側容器１を上方から挿入することにより、外側容器２の上端部に備えた凸部１３と上壁部８の下端部に備えた凹部８ａとが上下方向で係合して、内側容器１が外側容器２に対して水平方向へ移動することが阻止され、かつ、内側容器１の内側周壁部６の外面に備えた内側突起部２９が外側容器２の外側周壁部１１の内面に備えた外側突起部２８を乗り越えて両突起部２８，２９が上下方向で当接することで内側容器１の上方への移動が阻止される。このように凸部１３と凹部８ａとが係合するとともに、両突起部２８，２９が上下方向で当接することによって、内側容器１と外側容器２とを固定しているので、接着剤又は超音波接合により両者を固定する場合のように、部分的に弱くなることがない。しかも、内側容器１と外側容器２を上下２箇所で強固に固定することができる。
【００２９】
また、内側容器１の内側周壁部６の下端が内側底壁部７の下面よりも下方に突出しており、前記のように、内側突起部２９が外側突起部２８を乗り越えて両突起部２８，２９が上下方向で当接したときに、内側容器１の内側周壁部６の下端１１Ａが外側容器２の外側底壁部１２の上端１２ａに当接するように構成されている。従って、外側容器２の内部に内側容器１を上方から挿入することにより、外側容器２の上端部に備えた凸部１３と上壁部８の下端部に備えた凹部８ａとが上下方向で係合して、内側容器１が外側容器２に対して水平方向へ移動することが阻止され、かつ、内側容器１の内側周壁部６の外面の下部に備えた内側突起部２９が外側容器２の外側周壁部１１の内面の下部に備えた外側突起部２８を乗り越えて両突起部２９，２８が上下方向で当接することで内側容器１の上方への移動が阻止されると同時に内側容器１の内側周壁部６の下端１１Ａが外側容器２の外側底壁部１２の上端１２ａに当接して内側容器１の下方への移動が阻止される。このように、内側容器１が外側容器２に対して上方及び下方の両方向への移動が阻止されることによって、ガタ付きのない状態で内側容器１を外側容器２により一層強固に固定することができる。
【００３０】
外側容器２、内側容器１、蓋体４を構成する合成樹脂としては、耐衝撃性を有する硬質の熱可塑性樹脂が好適に使用され、その熱可塑性樹脂としては、例えばポリエステル系樹脂（飽和ポリエステル樹脂）を用いており、該ポリエステル系樹脂が、トライタン（登録商標）「ＴＸ１０００」、「ＴＸ１００１」、「ＴＸ１５００ＨＦ」、「ＴＸ１５０１ＨＦ」、「ＴＸ２０００」、「ＴＸ２００１」（イーストマン社製）から選択される少なくとも１種以上の樹脂から構成されているが、ポリエチレンテレフタレート（所謂ＰＥＴ）、耐衝撃性ポリスチレン、ポリカーボネート、ＡＢＳ樹脂、アクリル樹脂などの各種の熱可塑性樹脂を使用してもよい。
【００３１】
尚、本発明に係る保冷容器は、実施形態に限定されるものではなく、本発明の要旨を逸脱しない範囲で種々の変更が可能である。
【００３２】
前記実施形態では、外側突起部２８及び内側突起部２９を周方向４箇所に設けたが、２箇所以上の適宜箇所に設けてもよいし、全周に亘る長さ又は半周以上の長さであれば、１箇所にのみ設けてもよい。
【００３３】
また、前記実施形態では、外側突起部２８及び内側突起部２９を面で当接する構成としたが、外側突起部２８及び内側突起部２９を爪同士が係止するような構成にしてもよいし、一方を水平方向に開口する凹部から構成し、他方を凹部に係合すべく水平方向に突出する凸部から構成してもよい。
【００３４】
また、前記実施形態では、両突起部２８，２９が上下方向で当接したときに、内側容器１の内側周壁部６の下端１１Ａが外側容器２の外側底壁部１２の上端１２ａに当接するように構成したが、内側容器１の内側底壁部７の下端が外側容器２の外側底壁部１２の上端１２ａに当接するように構成してもよい。この場合、内側容器１の内側周壁部６の下端１１Ａが内側底壁部７の下面よりも下方へ突出していない構成にしておく必要がある。また、両突起部２８，２９が上下方向で当接したときに、内側容器１の内側周壁部６の下端１１Ａが外側容器２の外側底壁部１２の上端１２ａに当接しない構成であってもよい。この場合、両突起部２８，２９を下端部以外の上下方向中間部や上端部に設けてもよい。
【００３５】
また、前記実施形態では、シール部材１６を設けたが、シール部材１６を省略して実施してもよい。
【符号の説明】
【００３６】
１…内側容器、２…外側容器、３…本体、３Ｋ…開口、４…蓋体、５…保冷容器、６…内側周壁部、７…内側底壁部、８…上壁部、８Ａ…係合部、８Ｂ…上壁本体、８Ｇ…上端面、８Ｈ…上端面、８Ｋ…切欠き部、８ａ…凹部、９…断熱空間、１０…注ぎ口、１１…外側周壁部、１１Ａ…下端、１２…外側底壁部、１２Ａ…外周縁部、１２ａ…上端、１２Ｂ…内側部、１３…凸部、１３Ａ…頂部、１３Ｂ…内側部、１３Ｃ…外側部、１４…取っ手、１５…切欠き部、１６…シール部材、１６Ａ…上側部分、１６Ｂ…内側部分、１６Ｂ…内側部分、１６Ｃ…外側部分、１６Ｄ…水平部分、１７…平坦面、１８…下面、１９…側壁部、２０…天壁部、２２…係止突起、２３…凹溝、２４…凹部、２５…切欠き、２６…天板部、２７…凹部、２７Ａ…縦壁部、２７Ｂ…水平壁部、２８…外側突起部、２８Ａ…下端面、２９…内側突起部、２９Ａ…上端面、３０…長孔、Ｘ…載置部
【図１】
2019111111.tif 000003
【図２】
2019111111.tif 000004
【図３】
2019111111.tif 000005
【図４】
2019111111.tif 000006
【図５】
2019111111.tif 000007